(57)【要約】【課題】  視聴者が、膨大な番組データの中から必要な番組データを速やかに発見して選択することができる番組表を表示する。【解決手段】  ＣＰＵ１０は、トランスポート部３０のトランスポートデコーダ５から送出されるＥＰＧ情報を受けて、このＥＰＧ情報に対して、番組表を作成するための加工処理を施した後、ＯＳＤ表示部７に転送する。この加工処理は、（１）トランスポートデコーダ５から送出されたＥＰＧ情報を、番組表として一覧表表示できるようにする、（２）前記番組表のデータに適用するユーザ指定の並び順ルールを入力Ｉ／Ｆ１５から入力する、（３）前記番組表上のデータの並び順を前記入力したデータの並び順ルールに従って切り替える、（４）前記実行したデータの並び順ルール（優先順位）を前記データ並び替え後の番組表上に表示する、の順で行われる。【選択図】  図１
2006135575.tif 000002
【特許請求の範囲】
【請求項１】
デジタル放送の受信信号により多重伝送されるデータから前記データを含む番組情報一覧表を生成して映像出力する機能を備えたテレビ放送受信装置であって、
前記受信信号に含まれるデータを抽出する手段と、
抽出された前記データから、前記番組情報一覧表に加工する加工手段と、
前記加工されたデータを、前記番組情報一覧表として表示する手段と、
前記番組情報一覧表中のデータに適用されるユーザ指定の並び順ルールを入力する手段と、
前記番組情報一覧表中のデータの並び順を、前記入力したデータの並び順ルールに従って切り替える手段と、
前記データの並び順が切り替えられた前記番組情報一覧表を表示する手段と、
を備えたことを特徴とするテレビ放送受信装置。
【請求項２】
前記ユーザ指定のデータの並び順ルールは、前記データの並び順を規定した優先順位で示されることを特徴とする請求項１に記載のテレビ放送受信装置。
【請求項３】
前記データの並び順が切り替えられた前記番組情報一覧表中のデータ項目を示す各項目名に、前記並び順ルールを示す表示情報を添付する手段をさらに備えたことを特徴とする請求項１または請求項２に記載のテレビ放送受信装置。
【請求項４】
前記各項目名に添付される前記並び順ルールを示す表示情報は、前記データの並び順を規定した優先順位を示す番号であることを特徴とする請求項３に記載のテレビ放送受信装置。
【請求項５】
前記加工手段で適用されるデータの並び順ルールは、予め初期設定されていた並び順ルールとすることを特徴とする請求項１に記載のテレビ放送受信装置。
【請求項６】
前記加工手段で適用されるデータの並び順ルールは、ユーザが最後に指定した並び順ルールとすることを特徴とする請求項１に記載のテレビ放送受信装置。
【請求項７】
前記加工手段で適用されるデータの並び順ルールは、初回は予め初期設定されていた並び順ルールとし、２回目以降はユーザが最後に指定した並び順ルールとすることを特徴とする請求項１に記載のテレビ放送受信装置。
【請求項８】
前記ユーザ指定の並び順ルールの入力は、前記一覧表を表示した後、継続的に随時受け付けることを特徴とする請求項１から請求項７のいずれか１項に記載のテレビ放送受信装置。
【請求項９】
前記適用されるデータの並び順ルールに応じて、前記番組情報一覧表中の各データ項目を配置することを特徴とする請求項１から請求項８のいずれか１項に記載のテレビ放送受信装置。
【発明の詳細な説明】
【技術分野】
【０００１】
本発明はテレビ放送受信装置に係り、特に、デジタル放送を受信し、受信信号に含まれるデータ（電子番組情報等）を選択して表示画面に表示する機能を備えたテレビ放送受信装置に関する。
【背景技術】
【０００２】
従来のテレビ放送受信装置では、受信したＥＰＧ（Ｅｌｅｃｔｒｏｎｉｃ  Ｐｒｏｇｒａｍ  Ｇｕｉｄｅ）情報等のデータの選択方法や、表示画面への表示方法を工夫する技術として、例えば、予約された番組の頻度に応じた優先順位で番組表の番組を並び替えることにより、ユーザが独自の番組表を作成できるようにしたものがある（例えば、特許文献１参照。）。
【０００３】
また、ユーザが指定した番組をマトリクス状形式で表示することにより、視認し易くしたものも開示されている（例えば、特許文献２参照。）。
【０００４】
なお、本発明のように、電子番組表情報から、ユーザが好む表現形式に合致した一般的な番組表を作成する技術ではないが、電子番組ガイド表示に関する技術を開示している特許文献を参考として以下に記載する。
【０００５】
ユーザの好みに応じて蓄積された番組の電子番組情報（ＥＰＧ情報）を、ユーザの好みに合わせた表現形式で表示する電子番組ガイド表示処理装置が開示されている（例えば、特許文献３参照）。
【０００６】
また、ジャンル分けに必要な番組情報をテーブルに備えておき、受信した情報の内から、選択されたジャンルと同一のジャンルに属する番組情報から取得すると共に、番組情報のシリーズ情報も取得して、番組情報とリンクさせて記憶し、シリーズ名の一覧を表示して、ユーザに選択させたシリーズに属する放送番組の一覧を表示し、これから番組名を選択させて表示するデジタル放送受信装置が開示されている（例えば、特許文献４参照。）。
【特許文献１】特開平７−１９３７６２号公報
【特許文献２】特開平８−３０７７８６号公報
【特許文献３】特開２００１−２０３９５０号公報
【特許文献４】特開２００３−２９８９６３号公報
【発明の開示】
【発明が解決しようとする課題】
【０００７】
しかしながら、上記背景技術で述べた従来のテレビ放送受信装置にあっては、例えば、前述の特許文献１に開示された技術のように、予約された番組の頻度等に応じて、自動で優先順位付けを行った場合は、表示方法に関する視聴者の多様な要求に柔軟な対応することが困難であるといった問題点がある。
【０００８】
また、前述の特許文献２に開示された技術の場合は、受信したデータをマトリクス状に表示するだけでは、視聴者は、膨大なデータの中から必要とするデータを速やかに発見することが困難であるといった問題点がある。
【０００９】
本発明は、上記従来の問題点に鑑みてなされたものであって、視聴者が、膨大な番組データの中から必要な番組データを速やかに発見して選択することができる番組表を表示するテレビ放送受信装置を提供することを目的としている。
【課題を解決するための手段】
【００１０】
上記課題を解決するために、本発明に係るテレビ放送受信装置は、以下の特徴を備えている。
【００１１】
本発明に係るテレビ放送受信装置は、デジタル放送の受信信号により多重伝送されるデータから前記データを含む番組情報一覧表を生成して映像出力する機能を備えたテレビ放送受信装置であって、前記受信信号に含まれるデータを抽出する手段と、抽出された前記データから、前記番組情報一覧表に加工する加工手段と、前記加工されたデータを、前記番組情報一覧表として表示する手段と、前記番組情報一覧表中のデータに適用されるユーザ指定の並び順ルールを入力する手段と、前記番組情報一覧表中のデータの並び順を、前記入力したデータの並び順ルールに従って切り替える手段と、前記データの並び順が切り替えられた前記番組情報一覧表を表示する手段と、を備えたことを特徴とする。
【００１２】
また、前記テレビ放送受信装置は、前記データの並び順が切り替えられた前記番組情報一覧表中のデータ項目を示す各項目名に、前記並び順ルールを示す表示情報を添付する手段をさらに備えたことを特徴とする。
【００１３】
また、前記テレビ放送受信装置において、前記各項目名に添付される前記並び順ルールを示す表示情報は、前記データの並び順を規定した優先順位を示す番号であることを特徴とする。
【００１４】
また、前記テレビ放送受信装置において、前記加工手段で適用されるデータの並び順ルールは、予め初期設定されていた並び順ルールとすることを特徴とする。
【００１５】
また、前記テレビ放送受信装置において、前記加工手段で適用されるデータの並び順ルールは、ユーザが最後に指定した並び順ルールとすることを特徴とする。
【００１６】
また、前記テレビ放送受信装置において、前記加工手段で適用されるデータの並び順ルールは、初回は予め初期設定されていた並び順ルールとし、２回目以降はユーザが最後に指定した並び順ルールとすることを特徴とする。
【００１７】
また、前記テレビ放送受信装置において、前記ユーザ指定の並び順ルールの入力は、前記一覧表を表示した後、継続的に随時受け付けることを特徴とする。
【００１８】
また、前記テレビ放送受信装置は、前記適用されるデータの並び順ルールに応じて、前記番組情報一覧表中の各データ項目を配置することを特徴とする。
【発明の効果】
【００１９】
以上説明したように、本発明のテレビ放送受信装置によれば、ユーザは、番組情報一覧表の表示に適用されるデータの並び順ルールを、表示された番組情報一覧表を視認しながら、優先順位等を入力することによって指定することができるので、ユーザは、番組情報一覧表中のデータを、自己の好みに適合させ、かつ見やすく表示させた上で容易に視認することができる。
【００２０】
また、現在適用されているデータの並び順を示す優先順位は、番組情報一覧表の各項目名に、前記並び順ルールを示す表示情報が表示されるので、ユーザは、現在適用されているデータの並び順を随時把握することが可能となり、データの並び順を示す優先順位を自己の好みに合わせて的確に変更することが可能となる。
【００２１】
また、適用されるデータの並び順ルールは、予め初期設定されていた並び順ルールとすることが可能であるので、ユーザは、本装置を使用する都度、特に、この並び順ルールを指定する必要がない。
【００２２】
また、適用されるデータの並び順ルールは、ユーザが最後に指定した並び順ルールとすることが可能であるので、ユーザは、本装置を使用する都度、自己の最近の好みに適合した並び順ルールを、改めて指定し直す必要がない。
【００２３】
また、適用されるデータの並び順ルールは、初回は予め初期設定されていた並び順ルールとし、２回目以降は、ユーザが最後に指定した並び順ルールとすることが可能であるので、ユーザは、本装置を使用する都度、特に、この並び順ルールを指定する必要がなく、その後も、本装置を使用する都度、自己の最近の好みに適合した並び順ルールを、改めて指定し直す必要がない。
【００２４】
また、データの並び順ルールの入力は、番組情報一覧表が表示された後も、継続的に随時受け付けられるので、ユーザは、表示された番組情報一覧表を視認しながら、随時、新たなデータの並び順を指定することができる。
【００２５】
また、適用されるデータの並び順ルールに応じて、番組情報一覧表中の各データ項目が配置されるので、ユーザは、表示された番組情報一覧表を視認するに際し、このデータの並び順ルールに沿って視線を移動させるだけでよいので、表示された番組情報一覧表を楽に視認することができる。
【発明を実施するための最良の形態】
【００２６】
以下、本発明のテレビ放送受信装置の最良の実施形態について、図面を参照して詳細に説明する。
【００２７】
図１は、本発明の実施形態に係るテレビ放送受信装置の要部構成を示す構成図である。
【００２８】
同図において、本実施形態に係るテレビ放送受信装置の要部は、デジタル放送電波を受信するアンテナ１と、受信された信号波の中から受信すべき放送周波数を選局するチューナー部２と、選局されたアナログ信号からデジタル信号であるＭＰＥＧトランスポートストリーム信号（以下、「ＭＰＥＧ−ＴＳ信号」と呼称する）への変換を行う復調回路３と、ＭＰＥＧ−ＴＳ信号の誤りデータを訂正する誤り訂正部４と、ＭＰＥＧ−ＴＳ信号をパケット化されたＭＰＥＧエレメンタルストリーム信号（以下、「ＭＰＥＧ−ＰＥＳ信号」と呼称する）に変換するトランスポートデコーダ部５と、ＭＰＥＧ−ＰＥＳ信号を、復号化するＭＰＥＧデコーダ６と、後述するＣＰＵ１０からのＯＳＤ信号を受けて表示可能なＯＳＤ出力信号を作るＯＳＤ表示部７と、復号化されたＭＰＥＧ−ＰＥＳ信号に含まれる映像信号をビデオ信号に変換するビデオエンコーダ８と、復号化されたＭＰＥＧ−ＰＥＳ信号に含まれる音声信号をオーディオ信号に変換する音声ＤＡＣ９と、を備えて構成される。
【００２９】
ここで、チューナー部２、復調回路３、及び誤り訂正部４は、フロントエンド部２０を、また、トランスポートデコーダ部５は、トランスポート部３０を、さらに、ＭＰＥＧデコーダ６、ＯＳＤ表示部７、ビデオエンコーダ８、及び音声ＤＡＣ９は、ＭＰＥＧデコード部４０を、それぞれ構成する。
【００３０】
また、本実施形態に係るテレビ放送受信装置は、フロントエンド部２０、トランスポート部３０、ＭＰＥＧデコード部４０の他、後述する入出力１４、ＬＡＮポート１５等を含む主要な構成要素を制御するＣＰＵ１０と、ＣＰＵ１０の動作に必要な実行プログラム及び固定データを格納するＲＯＭ１１と、プログラムの実行、実行時の作業領域、及び一時データを格納するＲＡＭ１２と、電源ＯＦＦ以降、次回電源ＯＮまで保持すべき作業データや補助プログラムを記憶する不揮発性補助記憶装置１３と、を備える。
【００３１】
さらに、本実施形態に係るテレビ放送受信装置は、ＣＰＵ１０からの指示により、赤外線通信等による外部周辺機器との情報通信を行う入出力Ｉ／Ｆ１４と、ユーザからの受信機操作情報をＣＰＵ１０に伝達する入力Ｉ／Ｆ１５と、ＣＰＵ１０からの指示を受けて、後述するモデムポート１７及びローカルエリアネットワーク経由での周辺機器との接続を行うＬＡＮポート１６と、本装置を電話回線及びインターネット網等の外部ネットワーク、若しくは電話回線だけを介して後述するセンター１８へ接続し、センター１８から番組情報等を受信するモデムポート１７と、を備える。
【００３２】
なお、この他に、図示しない映像・音声出力部を備えるが、周知の構成要素であるので、説明を省略する。
【００３３】
また、本装置は、外部システムとして、番組情報等を配信するセンター（ここでは、図１のセンター１８）を設置することが必要である。
【００３４】
以下、本実施形態に係るテレビ放送受信装置の動作について説明する。
【００３５】
アンテナ１は、デジタル放送の信号波を受信し、アンテナ１が受信した信号波の中から、フロントエンド部２０のチューナー部２は、受信すべき放送周波数を有する信号波を選局する。
【００３６】
復調回路３は、チューナー部２が選局して出力した信号をアナログ信号からデジタル信号であるＭＰＥＧ−ＴＳ信号へ変換する。この変換されたＭＰＥＧ−ＴＳ信号について、誤り訂正部４は、誤りデータの訂正を行う。
【００３７】
トランスポート部３０のトランスポートデコーダ５は、誤りデータが訂正されたＭＰＥＧ−ＴＳ信号をパケット化されたＭＰＥＧ−ＰＥＳ信号に変換する。また、電子番組情報（即ち、デジタル放送信号に多重伝送されるＥＰＧ情報であり、チャンネル情報や番組情報を含む）を抽出してＣＰＵ１０に送出する。
【００３８】
ＭＰＥＧデコード部４０のＭＰＥＧデコーダ６は、パケット化されたＭＰＥＧ−ＰＥＳ信号を復号化する。
【００３９】
ＯＳＤ表示部７は、ＥＰＧ情報をＣＰＵ１０で加工処理して成る番組表作成データをＣＰＵ１０から受けて、番組表として表示できる映像信号に変換する。
【００４０】
ビデオエンコーダ８は、復号化されたＭＰＥＧ−ＰＥＳ信号に含まれる映像信号をビデオ信号に変換する。そして、音声ＤＡＣ９は、復号化されたＭＰＥＧ−ＰＥＳ信号に含まれる音声信号をオーディオ信号に変換する。
【００４１】
ＣＰＵ１０は、トランスポート部３０のトランスポートデコーダ５から送出されるＥＰＧ情報を受けて、このＥＰＧ情報に対して、番組表を作成するための加工処理（後述）を施した後、ＯＳＤ表示部７に転送する。また、入出力１４、ＬＡＮポート１５等を制御して、外部システムの情報を取り入れる。
【００４２】
ＲＯＭ１１は、ＣＰＵ１０の動作に必要な実行プログラム及び固定データを格納する。
【００４３】
ＲＡＭ１２は、プログラムがローディングされて実行される領域であると共に、プログラム実行時の作業領域、及び必要な一時データを格納する。
【００４４】
不揮発性補助記憶装置１３は、電源ＯＦＦ以降、次回電源ＯＮまで保持すべき作業データ、補助プログラムなどを記憶する。なお、不揮発性補助記憶装置１３は、必要に応じて、取り外しが可能な形態を含めた複数の媒体を備えるものとして構成することができる。
【００４５】
入出力Ｉ／Ｆ１４は、ＣＰＵ１０の指示により、赤外線通信等による外部周辺機器への情報通信を行う。また、入出力Ｉ／Ｆ１５は、モデムポート１７に接続される。
【００４６】
入力Ｉ／Ｆ１５は、ユーザからの受信機操作情報を、ＣＰＵ１０に通達する。この受信機操作情報には、後述する番組表データの並び替えルールが含まれる。
【００４７】
ＬＡＮポート１６は、ＣＰＵ１０からの指示により、モデムポート１７への接続を制御する。また、ローカルエリアネットワークを介して周辺機器への接続を制御する。
【００４８】
モデムポート１７は、本装置を電話回線及びインターネット網等の外部ネットワーク、若しくは電話回線だけを介してセンター１８へ接続し、センター１８から番組情報等を受信する。
【００４９】
以下、ＣＰＵ１０における、番組表を作成するためのＥＰＧ情報の加工処理について説明する。
【００５０】
ＣＰＵ１０は、トランスポート部３０のトランスポートデコーダ５から送出されるＥＰＧ情報を受けて、このＥＰＧ情報に対して、番組表を作成するための加工処理を施す。以下、ＣＰＵ１０におけるＥＰＧ情報の加工処理を、処理の順序で箇条書きする。
【００５１】
（１）  トランスポートデコーダ５から送出されたＥＰＧ情報を、番組表データに加工して番組を一覧表表示できるようにすると共に、前記番組表データをＯＳＤ表示部７に送出し、ビデオエンコーダ８を介して表示画面に表示させる。
【００５２】
（２）  前記番組表データに適用されるユーザ指定の並び順ルールが、入力Ｉ／Ｆ１５から入力されるのを待って、前記並び順ルールを入力する（ユーザは、前記番組表を視認して前記並び順ルールを入力する）。
【００５３】
（３）  前記番組表上のデータの並び順を、前記入力したデータの並び順ルールに従って切り替える。
【００５４】
（４）  前記実行したデータの並び順ルール（優先順位を示す番号）を、前記データ並び替え後の番組表上に、データ項目に副次的に添えた番組表データを作成する。
【００５５】
（５）  （４）の処理で作成した番組表データをＯＳＤ表示部７に送出し、ビデオエンコーダ８を介して表示画面に表示させる。
【００５６】
（６）  （２）の処理に戻る。
【００５７】
なお、（１）で記載した番組表データでは、データの並び順ルールとして、予め初期設定されていたものを使用することができる。また、初回は初期設定されていたものとし、２回目以降は最終的にユーザが指定した並び順ルールを適用するように構成することも可能である。
【００５８】
また、表示された番組表中の番組が、現在放送中のものであれば、ユーザは、この番組を、入力Ｉ／Ｆ１５を介して指定することにより、この番組を、表示画面に表示させることが可能である。
【００５９】
以下、この番組表及びユーザ指定のデータの並び順ルールが適用された番組表の表示例を、図２〜５で示す。
【００６０】
図２は、本発明の実施形態に係るテレビ放送受信装置が表示する番組表の１例を示す説明図である。
【００６１】
同図に示す番組表は、チャンネル番号順に表示された放送番組を、ユーザの操作により、昇順降順の切替えが行なわれている状態を示している。
【００６２】
図３は、本発明の実施形態に係るテレビ放送受信装置が表示する番組表の他の１例を示す説明図である。
【００６３】
同図に示す番組表は、あいうえお昇順、あいうえお降順、ジャンル昇順、ジャンル降順といった複数の並び順ルールを、ユーザの操作により順次適用することにより、放送番組の並び順を切り替えている状態を示している。
【００６４】
図４は、本発明の実施形態に係るテレビ放送受信装置が表示する番組表の他の１例を示す説明図である。
【００６５】
同図に示す番組表は、ユーザが指定する優先順位により、複数の並び順ルールを適用して番組表の表示を行っている状態を示している。
【００６６】
当初、チャンネル番号、開始時刻、終了時刻、ジャンル、番組名、の順で優先付けられる並び順ルールが適用されて表示されていた番組表が、ユーザ操作により、開始時刻、番組名、チャンネル番号、終了時刻、ジャンル、の順で優先付けられる並び順ルールが適用された表示に切り替えられている。
【００６７】
ここで、第１優先順位である開始時刻で並び順が決定しないものに関しては第２優先順位の番組名で並び順を決定し、以下、全ての並び順が決定されるか、若しくは適用する並び順ルールが無くなるまで順次、前記並び順ルールを適用している。
【００６８】
図５は、本発明の実施形態に係るテレビ放送受信装置が表示する番組表の他の１例を示す説明図である。
【００６９】
同図に示す番組表は、ユーザが指定する優先順位で複数の並び順ルールを適用して表示を行っている状態を示している。当初、チャンネル番号、開始時刻、終了時刻、ジャンル、番組名、の順で優先付けられる並び順ルールが適用されて表示されていた番組表が、ユーザ操作により、開始時刻、終了時刻、チャンネル番号、ジャンル、番組名、の順で優先付けられる並び順ルールが適用された表示に切り替えられている。この時、図４に示す表示とは違って、並び順ルールにおいて優先順位の高いデータから順に表示されるように、データの表位置を変更している。
【００７０】
この実施形態では、デジタル放送信号に多重伝送されるＥＰＧ情報を抽出し、番組表にして表示する構成としたが、一般に、本発明に係るテレビ放送受信装置は、ＥＰＧ情報とは限らないデータを抽出して、番組表と同様に、一覧表として表示することが可能である。
【００７１】
また、この実施形態では、デジタル放送信号に多重伝送されるＥＰＧ情報をチューナー部２で抽出し、番組表に加工して表示する構成としたが、一般に、本発明に係るテレビ放送受信装置は、センター１８から配信される番組表を加工して表示する構成にすることも可能である。
【００７２】
さらに、デジタル放送信号に多重伝送されるＥＰＧ情報をチューナー部２で抽出し、番組表に加工して、センター１８に送出することも可能である。
【図面の簡単な説明】
【００７３】
【図１】本発明の実施形態に係るテレビ放送受信装置の要部構成を示す構成図である。
【図２】本発明の実施形態に係るテレビ放送受信装置が表示する番組表の１例を示す説明図である。
【図３】本発明の実施形態に係るテレビ放送受信装置が表示する番組表の他の１例を示す説明図である。
【図４】本発明の実施形態に係るテレビ放送受信装置が表示する番組表の他の１例を示す説明図である。
【図５】本発明の実施形態に係るテレビ放送受信装置が表示する番組表の他の１例を示す説明図である。
【符号の説明】
【００７４】
１  アンテナ
２  チューナー部
３  復調回路
４  誤り訂正部
５  トランスポートデコーダ
６    ＭＰＥＧデコーダ
７    ＯＳＤ表示部
８  ビデオデコーダ
９  音声ＤＡＣ
１０  ＣＰＵ
１１  ＲＯＭ
１２  ＲＡＭ
１３  不揮発性補助記憶装置
１４  入出力Ｉ／Ｆ
１５  入力Ｉ／Ｆ
１６  ＬＡＮポート
１７  モデムポート
１８  センター（本装置の外部システム）
【図１】
2006135575.tif 000003
【図２】
2006135575.tif 000004
【図３】
2006135575.tif 000005
【図４】
2006135575.tif 000006
【図５】
2006135575.tif 000007